(57)【要約】      （修正有）【課題】容易にブレードを交換することができ、交換後もスムーズにブレードが回転できるスピナー型のルアーを提供する。【解決手段】魚釣り用のルアー１は本体２とブレード１４とフックとを有する。ブレード１４はクレビス１０によって吊り下げされている。クレビス１０は第１及び第２のリング部１１，１２によって本体２回りに回転可能に取り付けられている。第２のリング部１２はその先端寄り部分に開口部１２ａが形成されており、ブレード１４を交換する際にはクレビス１０を引っ張って開口部１２ａから第２のリング部１２を一旦取り外し、ブレード１４を開口部１２ａから取り外すことができる。【選択図】図２
0003175642.tif 000002
【実用新案登録請求の範囲】
【請求項１】
ライン取着部と１又は複数のフックとを備え、前記ライン取着部をライン先端位置に取り付けて生き餌の代わりに水中を泳がせるようにして使用する魚釣り用のルアーにおいて、
前記ライン取着部と前記フックの間に配置される長尺の棒状部材又は可撓性の紐状部材と、
弾性を有するワイヤ部材から構成され、同ワイヤ部材の両端寄りを湾曲させてリング状に形成した第１及び第２のリング部と、同第１及び第２のリング部の間に配置されブレードを吊り下げ支持した連結部とを有し、前記第１及び第２のリング部を介して前記棒状部材又は前記紐状部材の周方向に回転可能に取着されるブレード取り付け金具とを備え、
前記第１及び第２のリング部の少なくとも一方にはリングの一部を欠損状に開口させた開口部を形成するとともに、前記開口部の間隔を前記棒状部材又は前記紐状部材の幅方向の最大径よりも小さく構成し、前記開口部を拡開させる方向に付勢させることで前記開口部の間隔を前記棒状部材又は前記紐状部材の幅方向の最大径よりも大きくさせ、もって前記棒状部材又は紐状部材から前記第１又は第２の少なくとも一方のリング部を離脱させて前記ブレードを前記開口部側から取り外し可能としたことを特徴とするルアー。
【請求項２】
ライン取着部と１又は複数のフックとを備え、前記ライン取着部をライン先端位置に取り付けて生き餌の代わりに水中を泳がせるようにして使用する魚釣り用のルアーにおいて、
前記ライン取着部と前記フックの間に配置される棒状部材又は可撓性の紐状部材と、
弾性を有するワイヤ部材から構成され、同ワイヤ部材の基端寄りを湾曲させてリング状に形成した第１のリング部と、同第１のリング部から所定の距離を開けて屈曲してリング状に形成された第２のリング部と、同第２のリング部から前方側の残余の部分であって先端寄りを湾曲又は屈曲して前記第１のリング部内に係合可能な係合部を形成するとともにブレードを吊り下げ支持した連結部とを有し、前記第１及び第２のリング部を介して前記棒状部材又は前記紐状部材の周方向に回転可能に取着されるブレード取り付け金具とを備え、
前記連結部先端の前記係合部を前記連結部の弾性に抗して非係合とすることで前記ブレードを前記係合部側から取り外し可能としたことを特徴とするルアー。
【請求項３】
前記係合部は前記第１のリング部の内側面から同第１のリング部内に進出して係合させられていることを特徴とする請求項２に記載のルアー。
【請求項４】
ライン取着部と１又は複数のフックとを備え、前記ライン取着部をライン先端位置に取り付けて生き餌の代わりに水中を泳がせるようにして使用する魚釣り用のルアーにおいて、
前記ライン取着部と前記フックの間に配置される長尺の棒状部材又は可撓性の紐状部材と、
弾性を有するワイヤ部材から構成され、同ワイヤ部材の両端寄りを屈曲してリング状に形成された第１及び第２のリング部を有し、前記第１のリング部を介して前記棒状部材又は前記紐状部材の周方向に回転可能に取着されるとともに、前記第２のリング部に対してブレードを吊り下げ支持させたブレード取り付け金具とを備え、
前記第２のリング部にはリングの一部を欠損状に開口させた開口部を形成するとともに、前記開口部の間隔を前記ブレードの厚み幅よりも小さく構成し、前記開口部を拡開させる方向に付勢させることで前記開口部の間隔を前記ブレードの厚み幅よりも大きくさせ、もって前記ブレードを前記ワイヤ部材先端側から取り外し可能としたことを特徴とするルアー。
【請求項５】
ライン取着部と１又は複数のフックとを備え、前記ライン取着部をライン先端位置に取り付けて生き餌の代わりに水中を泳がせるようにして使用する魚釣り用のルアーにおいて、
前記ライン取着部と前記フックの間に配置される長尺の棒状部材又は可撓性の紐状部材と、
弾性を有するワイヤ部材から構成され、同ワイヤ部材の両端寄りを屈曲してリング状に形成された第１及び第２のリング部を有し、前記第１のリング部を介して前記棒状部材又は前記紐状部材の周方向に回転可能に取着されるとともに、前記第２のリング部に対してブレードを吊り下げ支持させたブレード取り付け金具とを備え、
前記第２のリング部には前記ワイヤ部材の先端寄りが同第２のリング部の基部付近で交差する交差部が形成されており、同交差部位置における前記ワイヤ部材の間隔を前記ブレードの厚み幅よりも小さく構成し、前記交差部位置における前記ワイヤ部材を拡開させる方向に付勢させることで交差位置における前記ワイヤ部材の間隔を前記ブレードの厚み幅よりも大きくさせ、もって前記ブレードを前記ワイヤ部材先端側から取り外し可能としたことを特徴とするルアー。
【請求項６】
前記第１及び第２のリング部の透孔の中心を通る仮想的な軸線方向は直交状態で配置されることを特徴とする請求項４又は５に記載のルアー。
【請求項７】
前記ブレードは同ブレードに形成した吊り下げ用の透孔によって前記第２のリング部に直接挿通されて吊り下げ支持されていることを特徴とする請求項４〜６のいずれかに記載のルアー。
【請求項８】
前記ブレード取り付け金具の断面形状は円形、楕円形又は方形のいずれかであることを特徴とする請求項１〜７のいずれかに記載のルアー。
【考案の詳細な説明】
【技術分野】
【０００１】
本考案は魚釣りに使用されるルアーに関するものである。
【背景技術】
【０００２】
近年の魚釣りにおいては生き餌の代わりにルアーが使用されることが多くなってきている。このようなルアーの一種に水流によって軸周りに回転するブレードを備えたいわゆるスピナーと呼ばれるものがある。このようなスピナー型ルアーの先行技術として特許文献１及び２を挙げる。
特許文献１のようなより戻しに対して金属リングを介してブレードを取り付ける方式のスピナー型ルアーに対して、特許文献２のようなクレビスと呼ばれるＵ字状の連結金具を介してブレードを取り付けてシャフトやラインに対してその軸周りを自由に回転できるようにしたクレビス方式のスピナー型ルアーの方がブレードが滑らかにかつ大きく回転する。そのため、回転性を重視する場合にはこのようなクレビス方式のスピナー型ルアーを選択することが多い。
【先行技術文献】
【特許文献】
【０００３】
【特許文献１】特開２００５−１８５２１６号公報
【特許文献２】実用新案登録第３１６４４２４号公報
【考案の概要】
【考案が解決しようとする課題】
【０００４】
スピナー型ルアーにおいてはブレードが回転して水中の様々な物体（例えば、岩石やコンクリートブロックのような沈積物、浮遊ゴミ、船体等）に接触して装飾めっきが剥げたり形状が変形したりする。特に回転の大きなクレビス方式のスピナー型ルアーではより戻し方式のスピナー型ルアーよりもその可能性が大きい。そのため、特にクレビス方式のスピナー型ルアーにおいて使用して古くなって装飾めっきが剥げたりしたブレードを取り替えたいという要望がある。しかし、クレビス吊り下げ式スピナー型ルアーでは特許文献１のようなより戻しから金属リングを取り外す場合に比べて２箇所でシャフトやラインに遊嵌されているため取り外し作業が面倒ある。また、クレビスをシャフトやラインから一旦取り外し、ブレードを取り替えた後で、クレビスをシャフトやラインに再装着する作業も面倒であり、更に上手にクレビスを再装着しないと、クレビスの回転に支障を来たしクレビスがうまく回転できなくなってしまう可能性もあった。
本考案は上記課題を解決するためのものである。その目的は容易にブレードを交換することができ、交換後もスムーズにブレードが回転できるスピナー型のルアーを提供することにある。
【課題を解決するための手段】
【０００５】
上記課題を解決するために、請求項１に記載の考案では、ライン取着部と１又は複数のフックとを備え、前記ライン取着部をライン先端位置に取り付けて生き餌の代わりに水中を泳がせるようにして使用する魚釣り用のルアーにおいて、前記ライン取着部と前記フックの間に配置される長尺の棒状部材又は可撓性の紐状部材と、弾性を有するワイヤ部材から構成され、同ワイヤ部材の両端寄りを湾曲させてリング状に形成した第１及び第２のリング部と、同第１及び第２のリング部の間に配置されブレードを吊り下げ支持した連結部とを有し、前記第１及び第２のリング部を介して前記棒状部材又は前記紐状部材の周方向に回転可能に取着されるブレード取り付け金具とを備え、前記第１及び第２のリング部の少なくとも一方にはリングの一部を欠損状に開口させた開口部を形成するとともに、前記開口部の間隔を前記棒状部材又は前記紐状部材の幅方向の最大径よりも小さく構成し、前記開口部を拡開させる方向に付勢させることで前記開口部の間隔を前記棒状部材又は前記紐状部材の幅方向の最大径よりも大きくさせ、もって前記棒状部材又は紐状部材から前記第１又は第２の少なくとも一方のリング部を離脱させて前記ブレードを前記開口部側から取り外し可能としたことをその要旨とする。
このように構成すれば、ブレードを交換したい場合にブレード取り付け金具の第１及び第２のリング部の少なくとも一方に形成された開口部をブレード取り付け金具が取り付けられているいずれかの棒状部材又は紐状部材にあてがい、ブレード取り付け金具と棒状部材又は紐状部材とを相対的に離間させる方向に移動させる。つまり、ブレード取り付け金具を棒状部材又は紐状部材から引き離すようにする。すると開口部が押し広げられてブレード取り付け金具の第１又は第２の少なくとも一方のリング部が棒状部材又は紐状部材から離脱する。これによって古いブレードを開口部側（の端部）から取り外し、新しいブレードと交換するようにする。次いで、開口部を再び棒状部材又は紐状部材にあてがい、押し込むように操作する。これによって開口部が押し広げられてリング部が棒状部材又は紐状部材に再び取着され再びブレード取り付け金具が使用可能状態となる。
このような構成であれば、容易に古いブレードを取り替えることができ、取替え後も取替え前と同様にブレード取り付け金具は棒状部材又は紐状部材の周方向に回転できるためブレード交換後もスムーズにブレードが回転することとなる。
【０００６】
請求項２に記載の考案では、ライン取着部と１又は複数のフックとを備え、前記ライン取着部をライン先端位置に取り付けて生き餌の代わりに水中を泳がせるようにして使用する魚釣り用のルアーにおいて、前記ライン取着部と前記フックの間に配置される棒状部材又は可撓性の紐状部材と、弾性を有するワイヤ部材から構成され、同ワイヤ部材の基端寄りを湾曲させてリング状に形成した第１のリング部と、同第１のリング部から所定の距離を開けて屈曲してリング状に形成された第２のリング部と、同第２のリング部から前方側の残余の部分であって先端寄りを湾曲又は屈曲して前記第１のリング部内に係合可能な係合部を形成するとともにブレードを吊り下げ支持した連結部とを有し、前記第１及び第２のリング部を介して前記棒状部材又は前記紐状部材の周方向に回転可能に取着されるブレード取り付け金具とを備え、前記連結部先端の前記係合部を前記連結部の弾性に抗して非係合とすることで前記ブレードを前記係合部側から取り外し可能としたことをその要旨とする。
このように構成すれば、ブレードを交換したい場合に第１のリング部内に係合させられた連結部の先端寄りの係合部を連結部の弾性に抗して非係合状態として古いブレードを係合部先端から取り外し、新しいブレードと交換するようにする。次いで、係合部を第１のリング部内に係合させ再びブレード取り付け金具は使用可能状態となる。
このような構成であれば、容易に古いブレードを取り替えることができ、取替え後も取替え前と同様にブレード取り付け金具は棒状部材又は紐状部材の周方向に回転できるためブレード交換後もスムーズにブレードが回転することとなる。
【０００７】
請求項３に記載の考案では請求項１又は２の考案の構成に加え、前記係合部は前記第１のリング部の内側面から同第１のリング部内に進出して係合させられていることをその要旨とする。
この方向から係合部を係合させる場合には非係合状態とするためには連結部を強い圧縮力で付勢させなければならないため、容易に係合部が非係合状態になってしまう（つまり、外れてしまう）ことがない。
【０００８】
請求項４に記載の考案では、ライン取着部と１又は複数のフックとを備え、前記ライン取着部をライン先端位置に取り付けて生き餌の代わりに水中を泳がせるようにして使用する魚釣り用のルアーにおいて、前記ライン取着部と前記フックの間に配置される長尺の棒状部材又は可撓性の紐状部材と、弾性を有するワイヤ部材から構成され、同ワイヤ部材の両端寄りを屈曲してリング状に形成された第１及び第２のリング部を有し、前記第１のリング部を介して前記棒状部材又は前記紐状部材の周方向に回転可能に取着されるとともに、前記第２のリング部に対してブレードを吊り下げ支持させたブレード取り付け金具とを備え、前記第２のリング部にはリングの一部を欠損状に開口させた開口部を形成するとともに、前記開口部の間隔を前記ブレードの厚み幅よりも小さく構成し、前記開口部を拡開させる方向に付勢させることで前記開口部の間隔を前記ブレードの厚み幅よりも大きくさせ、もって前記ブレードを前記ワイヤ部材先端側から取り外し可能としたことをその要旨とする。
このように構成すれば、ブレードを交換したい場合に第２のリング部内に係合させられたブレードをスライドさせて開口部位置に移動させる。そして、開口部から外方に向かってブレードをを引っ張っる。すると開口部が押し広げられてブレードが第２のリング部から離脱する。これによって古いブレードを開口部側（の端部）から取り外し、新しいブレードと交換するようにする。次いで、開口部にブレードをあてがい、押し込むように操作する。これによって開口部が押し広げられてブレードが再び吊り下げられる。
このような構成であれば、容易に古いブレードを取り替えることができ、取替え後も取替え前と同様にブレード取り付け金具は棒状部材又は紐状部材の周方向に回転できるためブレード交換後もスムーズにブレードが回転することとなる。
【０００９】
請求項５に記載の考案では、ライン取着部と１又は複数のフックとを備え、前記ライン取着部をライン先端位置に取り付けて生き餌の代わりに水中を泳がせるようにして使用する魚釣り用のルアーにおいて、前記ライン取着部と前記フックの間に配置される長尺の棒状部材又は可撓性の紐状部材と、弾性を有するワイヤ部材から構成され、同ワイヤ部材の両端寄りを屈曲してリング状に形成された第１及び第２のリング部を有し、前記第１のリング部を介して前記棒状部材又は前記紐状部材の周方向に回転可能に取着されるとともに、前記第２のリング部に対してブレードを吊り下げ支持させたブレード取り付け金具とを備え、前記第２のリング部には前記ワイヤ部材の先端寄りが同第２のリング部の基部付近で交差する交差部が形成されており、同交差部位置における前記ワイヤ部材の間隔を前記ブレードの厚み幅よりも小さく構成し、前記交差部位置における前記ワイヤ部材を拡開させる方向に付勢させることで交差位置における前記ワイヤ部材の間隔を前記ブレードの厚み幅よりも大きくさせ、もって前記ブレードを前記ワイヤ部材先端側から取り外し可能としたことをその要旨とする。
このように構成すれば、ブレードを交換したい場合に第２のリング部内に係合させられたブレードをスライドさせて交差部方向にに移動させる。そして、ワイヤ部材先端側から外方に向かってブレードをを引っ張っる。すると交差部の間隔が押し広げられてブレードが第２のリング部から離脱する。これによって古いブレードを開口部側（の端部）から取り外し、新しいブレードと交換するようにする。次いで、交差部にブレードをあてがい、押し込むように操作する。これによって交差部が押し広げられてブレードが再び吊り下げられる。
このような構成であれば、容易に古いブレードを取り替えることができ、取替え後も取替え前と同様にブレード取り付け金具は棒状部材又は紐状部材の周方向に回転できるためブレード交換後もスムーズにブレードが回転することとなる。
【００１０】
請求項６に記載の考案では請求項４又は５に記載の発明の構成に加え、前記第１及び第２のリング部の透孔の中心を通る仮想的な軸線方向は直交状態で配置されるようにしたことをその要旨とする。
第１のリング部の透孔の軸線は棒状部材又は紐状部材の軸線方向と一致するため、このような配置であれば、棒状部材又は紐状部材と第２のリング部の透孔の中心を通る仮想的な軸線方向は直交することとなる。従って、棒状部材又は紐状部材周りでブレード取り付け金具がスムーズに回転することとなる。
請求項７に記載の考案では請求項４〜６のいずれかに記載の発明の構成に加え、前記ブレードは同ブレードに形成した吊り下げ用の透孔によって前記第２のリング部に直接挿通されて吊り下げ支持されていることをその要旨とする。
これによってブレードの取り外しや取り付けの際に、必ず第２のリング部を構成するワイヤ部材の先端に透孔が照合されることとなる。
請求項８に記載の考案では請求項１〜７のいずれかに記載の発明の構成に加え、前記ブレード取り付け金具の断面形状は円形、楕円形又は方形のいずれかであることをその要旨とする。
いずれの形状もワイヤ部材として普通に得られる材料であり、かつ弾性を有するものである。
【考案の効果】
【００１１】
以上のように構成することで上記各請求項の考案では、スピナー型のルアーにおいて容易に古いブレードを取り替えることが可能となる。
【図面の簡単な説明】
【００１２】
【図１】本考案の実施の形態１のルアーの（ａ）は正面図、（ｂ）は平面図、（ｃ）は側面図。
【図２】同じ実施の形態１のルアーにおいて（ａ）はブレードが吊り下げられたクレビスが本体に取り付けられた状態を説明する説明図、（ｂ）はクレビスの第２のリング部が本体から外され、ブレードが取り外された状態（または、ブレードを取り付ける直前の状態）を説明する説明図。
【図３】（ａ）は本体に取り付けられた状態の実施の形態１のクレビスの正面図、（ｂ）は同じく右側面図、（ｃ）は同じく左側面図。
【図４】実施の形態１のクレビスの斜視図。
【図５】（ａ）は本体に取り付けられた状態の実施の形態２のクレビスの正面図、（ｂ）は同じく右側面図、（ｃ）は同じく左側面図。
【図６】実施の形態２のクレビスの斜視図。
【図７】本考案の実施の形態３のルアーの（ａ）は正面図、（ｂ）は平面図、（ｃ）は側面図。
【図８】（ａ）は本体に取り付けられた状態の実施の形態３のクレビスの正面図、（ｂ）は同じく左側面図、（ｃ）は同じく底面図。
【図９】（ａ）は本体に取り付けられた状態の実施の形態４のクレビスの正面図、（ｂ）は同じく左側面図、（ｃ）は同じく底面図。
【考案を実施するための形態】
【００１３】
（実施の形態１）
以下、本考案の構造を具体化した実施の形態１について図面に基づいて説明する。
図１（ａ）〜（ｃ）及び図２（ａ）（ｂ）に示すように、本実施の形態１のルアー１は棒状部材としてのワイヤを屈曲形成した棒状部材としての本体２を備えている。本体２は後方寄りが２つ折に屈曲され屈曲部先端が外方に膨出されてフック取着用リング３が形成されている。折り曲げられた屈曲部先端はパイプ部材４によって本体２胴部とともに包囲されて屈曲状態が拡開されることが防止されている。フック取着用リング３には３本針のフック５が吊り下げられている。本体２の先端側には寄り戻し６を介してライン取着用リング７が取着されている。寄り戻し５とビーズ玉８の間にはブレード取り付け金具としてのクレビス１０が回転可能に取着されている。
【００１４】
図３（ａ）〜（ｅ）及び図４に示すように、クレビス１０は断面円形のワイヤを屈曲形成して構成されている。クレビス１０はその両端を湾曲させて形成した第１のリング部１１及び第２のリング部１２を備えている。第１のリング部１１はその先端寄り部分がほぼ３６０度周回して湾曲基部に先端と湾曲基部との隙間がほとんどない状態で近接させられている。一方、第２のリング部１２はその先端寄り部分がほぼ３６０度周回させられているが、先端は湾曲基部から離間し、逆に外方に湾曲するように形成され、その結果第２のリング部１２の先端と湾曲基部との間には隙間が形成される。この隙間は開口部１２ａとされている。開口部１２ａの間隔は本体２の径長よりも若干短く構成されている。第１及び第２のリング部１１，１２はワイヤによって包囲される内部に形成される透孔がちょうど正対するように（つまり、透孔中心を通る軸心方向が一致するように）配置されている。
第１及び第２のリング部１１，１２の間はＵ字状に湾曲された連結部１３とされている。
クレビス１０は第１及び第２のリング部１１，１２が本体２に遊嵌状態で挿通されており、正逆いずれの方向へも回転可能とされている。
クレビス１０の連結部１３にはブレード１４が吊り下げられている。ブレード１４はカーブの緩やかな（つまり、曲率が小さい）表面が凸で裏面が凹の曲面形状を有する合金製の薄板であって、前後が窄まった笹の葉形状とされている。ブレード１４はその前端寄りに形成された透孔１５が連結部１３に挿通され、連結部１３の長手方向に沿って移動可能とされている。
【００１５】
このような構成の実施の形態１のルアー１において、ルアー１を経年使用することでブレード１４が傷ついたりして交換したい場合には、次のようにして新たなブレード１４に交換することができる。
すなわち、作業者はクレビス１０の連結部１３を把持し、クレビス１０の第２のリング部１２側を本体２から引き離す方向に引っ張る。すると開口部１２ａは本体２の径よりも狭いため引っかかり抵抗を受ける。抵抗に抗してそのまま引き続けると開口部１２ａが押し広げられて行く。開口部１２ａの間隔が本体２の幅（径）と一致した段階で第２のリング部１２は本体２から外れる。直後に開口部１２ａの間隔は第２のリング部１２自身の弾性によって付勢力が開放されて当初の間隔に復帰する。この状態で古いブレード１４を開口部１２ａ側の開放端から取り外し（図２（ｂ）の状態）、新しいブレード１４を吊り下げるようにする。
次いで、作業者はクレビス１０の連結部１３を把持し、クレビス１０の開口部１２ａを本体２に押し付け、第２のリング部１２側を本体２方向に接近させる方向に押していく。すると、開口部１２ａが再び押し広げられて行く。開口部１２ａの間隔が本体２の幅（径）と一致した段階で第２のリング部１２はすり抜けて本体２に係合される。直後に開口部１２ａの間隔は第２のリング部１２自身の弾性によって付勢力が開放されて当初の間隔に復帰する（図２（ａ）の状態）。この状態で第２のリング部１２は再び本体２に遊嵌状態となる。
このような構成とすれば、古くなったブレード１４を容易に交換することができ、交換後においてもクレビス１０の回転に支障がない。
【００１６】
（実施の形態２）
実施の形態２は実施の形態１のルアー１のバリエーションである。実施の形態１とはクレビス３０のみ異なるため、クレビス３０を図面に基づいて説明する。
図５（ａ）〜（ｃ）及び図６に示すように、クレビス１０は断面円形のワイヤを屈曲形成して構成されている。クレビス１０はその一端（基端）を３６０度周回して湾曲させて形成した第１のリング部３１を備えている。第２のリング部３２は第１のリング部３１から間隔を空けてワイヤの途中位置を３６０度周回して湾曲させて形成されている。第１及び第２のリング部３１，３２は形成される内部の透孔がちょうど正抗するように配置されている。第２のリング部から前方の残余の部分はＵ字状に湾曲された連結部３３とされている。連結部３３の先端寄りには外方に先端が向くように屈曲された係合部３４が形成されており、第１のリング部３１に対して内側から挿入されて第１のリング部３１の内周に係合されている。連結部３３は係合部３４が第１のリング部３１の内周に係合された状態で圧縮されて付勢状態とされている。
クレビス３０は第１及び第２のリング部３１，３２が本体２に遊嵌状態で挿通されており、正逆いずれの方向へも回転可能とされている。クレビス３０の連結部３３には実施の形態１と同じブレード１４が吊り下げられている。ブレード１４はその前端寄りに形成された透孔１５が連結部３３に挿通され、連結部３３の長手方向に沿って移動可能とされている。
【００１７】
このような構成の実施の形態２のルアー１において、ルアー１を経年使用することでブレード１４が傷ついたりして交換したい場合には、次のようにして新たなブレード１４に交換することができる。
すなわち、作業者はクレビス３０の係合部３４を連結部３３がより付勢される方向に一旦圧縮しする。そして、係合部３４が第１のリング部３１に再び係合されないように導きながら（つまり、先端を第１のリング部３１から逸らしながら）連結部３３の付勢状態を開放させる（図５（ａ）の二点鎖線の位置）。これによって係合部３４先端は第１のリング部３１の透孔から逸れた非係合位置に変異させられることとなる。この状態で古いブレード１４を係合部３４側のフリーとなった先端から取り外し、新しいブレード１４を吊り下げるようにする。
次いで、作業者はクレビス３０の係合部３４をその先端が第１のリング部３１よりも内側に位置するように圧縮し、圧縮しながら第１のリング部３１の内周に係合されるように導く。実施の形態２では第１及び第２のリング部３１，３２は特に本体２から外されることはなく、本体２はブレード１４交換作業中において第１及び第２のリング部３１，３２に遊嵌された状態である。
このような構成とすれば、古くなったブレード１４を容易に交換することができ、交換後においてもクレビス３０の回転に支障がない。
【００１８】
（実施の形態３）
実施の形態３は実施の形態１のルアー１のバリエーションである。実施の形態１とはクレビス４０のみ異なるため、図において同じ構成については説明を省略して説明する。
図７及び図８（ａ）〜（ｃ）に示すように、クレビス４０はその両端を湾曲させて形成した第１のリング部４１及び第２のリング部４２を備えている。クレビス４０は断面円形のワイヤを屈曲形成して構成されている。第１のリング部４１はその先端寄り部分がほぼ３６０度周回して湾曲基部に先端と湾曲基部との隙間がほとんどない状態で近接させられている。一方、第２のリング部４２はその先端寄り部分がほぼ３６０度周回させられているが、先端は湾曲基部から離間し、逆に外方に湾曲するように形成され、その結果第２のリング部４２の先端と湾曲基部との間には隙間が形成される。この隙間は開口部４２ａとされている。開口部４２ａの間隔はブレード１４の厚み幅よりも若干短く構成されている。第１及び第２のリング部４１，４２はワイヤによって包囲される内部に形成される透孔が９０度向きを変えて（つまり、透孔中心を通る軸心方向が直交するように）配置されている。
第１のリング部４１の湾曲基部は同時に第２のリング部４２の基部を兼ねている。つまり、クレビス４０は第１及び第２のリング部４１，４２が９０度向きを変えた状態で基部位置で連結された構造とされている。
クレビス４０の第２のリング部４２にはブレード１４が吊り下げられている。第２のリング部４２を構成するワイヤはブレード１４の透孔１５に挿通されている。
クレビス４０は第１のリング部４１が本体２に遊嵌状態で挿通されており、正逆いずれの方向へも回転可能とされている。第１のリング部４１の透孔中心を通る軸心方向と本体２の軸心方向はほぼ一致する。
【００１９】
このような構成の実施の形態３のルアー１において、ルアー１を経年使用することでブレード１４が傷ついたりして交換したい場合には、次のようにして新たなブレード１４に交換することができる。
すなわち、作業者はクレビス４０の第２のリング部４２を把持し、開口部４２ａからブレード１４を引き離す方向に引っ張る。すると開口部４２ａはブレード１４の厚み幅よりも狭いため引っかかり抵抗を受ける。抵抗に抗してそのまま引き続けると開口部４２ａが押し広げられて行く。開口部４２ａの間隔がブレード１４の厚み幅と一致した段階でブレード１４は第２のリング部４２から外れる。直後に開口部４２ａの間隔は第２のリング部４２自身の弾性によって付勢力が開放されて当初の間隔に復帰する。この状態で古いブレード１４を開口部４２ａ側の開放端から取り外す。
次いで、作業者は新しいブレード１４を把持し、その透孔１５に開口部４２ａ側の開放端を当てがいブレード１４を開口部４２ａの奥方向に押していく。すると、開口部４２ａが再び押し広げられて行く。開口部４２ａの間隔がブレード１４の厚み幅と一致した段階でブレード１４はすり抜けて第２のリング部４２に係合される。直後に開口部４２ａの間隔は第２のリング部４２自身の弾性によって付勢力が開放されて当初の間隔に復帰する。
このような構成とすれば、古くなったブレード１４を容易に交換することができ、交換後においてもクレビス４０の回転に支障がない。
【００２０】
（実施の形態４）
実施の形態４は実施の形態１のルアー１のバリエーションである。実施の形態１とはクレビス５０のみ異なるため、クレビス５０を図面に基づいて説明する。
図９（ａ）〜（ｃ）に示すように、クレビス５０はその両端を湾曲させて形成した第１のリング部５１及び第２のリング部５２を備えている。クレビス５０は断面円形のワイヤを屈曲形成して構成されている。第１のリング部５１はその先端寄り部分がほぼ３６０度周回して湾曲基部に先端と湾曲基部との隙間がほとんどない状態で近接させられている。一方、第２のリング部５２はその先端寄り部分がほぼ３６０度周回させられ湾曲基部と交差させられて交差部５３を形成している。交差部５３における先端寄り部分と湾曲基部の間の隙間はクレビス５０の厚み幅以下の間隔とされている。
第１及び第２のリング部５１，５２はワイヤによって包囲される内部に形成される透孔が９０度向きを変えて（つまり、透孔中心を通る軸心方向が直交するように）配置されている。
第１のリング部５１の湾曲基部は同時に第２のリング部５２の基部を兼ねている。つまり、クレビス５０は第１及び第２のリング部５１，５２が９０度向きを変えた状態で基部位置で連結された構造とされている。
クレビス５０の第２のリング部５２にはブレード１４が吊り下げられている。第２のリング部５２を構成するワイヤはブレード１４の透孔１５に挿通されている。
クレビス５０は第１のリング部５１が本体２に遊嵌状態で挿通されており、正逆いずれの方向へも回転可能とされている。第１のリング部５１の透孔中心を通る軸心方向と本体２の軸心方向はほぼ一致する。
【００２１】
このような構成の実施の形態４のルアー１において、ルアー１を経年使用することでブレード１４が傷ついたりして交換したい場合には、次のようにして新たなブレード１４に交換することができる。
すなわち、作業者はクレビス５０の第２のリング部５２を把持し、交差部５３方向に移動させブレード１４が交差部５３を通過できるように引っ張る。ブレード１４が交差部５３に進入すると交差部５３はブレード１４によって押し広げられて行く。交差部５３がブレード１４の通過を許容する程度に十分に押し広げられるとブレード１４は本体２から外れる。直後に交差部５３の間隔は第２のリング部５２自身の弾性によって付勢力が開放されて当初の間隔に復帰する。
次いで、作業者は新しいブレード１４を把持し、その透孔１５に第２のリング部５２の先端を挿通させながら交差部５３の奥方向に押していく。すると、交差部５３が再び押し広げられて行く。交差部５３が十分に押し広げられるとブレード１４は交差部５３をすり抜けて第２のリング部５２に係合される。直後に交差部５３の間隔は第２のリング部５２自身の弾性によって付勢力が開放されるため当初の間隔に復帰する。
このような構成とすれば、古くなったブレード１４を容易に交換することができ、交換後においてもクレビス５０の回転に支障がない。
【００２２】
上記実施の形態は、以下のように具体化されてもよい。
・実施の形態１では第２のリング部１２側のみが開口部１２ａが形成されブレード１４交換作業において本体２から一旦取り外されるようになっていたが、第１のリング部１１側にも開口部を形成して両方とも本体２から一旦取り外すことができるようにしても（つまりクレビス１０自体を本体２から取り外す）よい。
・上記実施の形態ではクレビス１０，３０，４０，５０は可撓性のない本体２に取り付けるようにしていたが、例えばラインのような紐状部材に取り付けるようにしてもよい。
・本体２の材質や形状は上記に限定されるものではない。上記のような断面円形以外の針金を使用するようにしてもよい。
・小魚を模したプラスチックや木、金属など硬質の素材からなるルアー（ハードベイト）やワームと組み合わせるようにしてもよい。例えば上記においてフック取着用リング３にフック５と同時にハードベイトを取り付けるようにしたり、ハードベイトの下部位置にフック５を吊り下げるようにしてもよい。
その他、本考案の趣旨を逸脱しない範囲において変更した態様で実施することは自由である。
【符号の説明】
【００２３】
１…ルアー、２…棒状部材としての本体、５…フック、７…ライン取着部、１２ａ，４２ａ…開口部、１０，３０，４０，５０…ブレード取り付け金具としてのクレビス、１１，３１，４１，５１…第１のリング部、１２，３２，４２，５２…第２のリング部、１３，３３…連結部、３４…係合部、５３…交差部。
【図１】
0003175642.tif 000003
【図２】
0003175642.tif 000004
【図３】
0003175642.tif 000005
【図４】
0003175642.tif 000006
【図５】
0003175642.tif 000007
【図６】
0003175642.tif 000008
【図７】
0003175642.tif 000009
【図８】
0003175642.tif 000010
【図９】
0003175642.tif 000011